(57)【要約】  電流プローブ用の入力バイパス回路には、電流プローブの入力と電流検出回路の入力との間に結合された第１及び第２スイッチがある。スイッチ制御回路がスイッチング回路に結合されて、電流プローブの入力を電流検出回路に選択的に結合したり又は切り離したりすることで、電流信号が被試験デバイス中を連続的に流れるようにする。
2009536743.tif 000002
【特許請求の範囲】
【請求項１】
被試験デバイスからの電流信号を受けるために電流検出回路に結合された複数の入力を有する電流プローブ中の入力バイパス回路であって、
上記電流プローブ入力及び上記電流検出回路間に結合されたスイッチング回路と、
上記スイッチング回路に結合されて、上記電流プローブ入力を上記電流検出回路に選択的に結合したり又は切り離したりすることで、上記電流信号が上記被試験デバイス中を連続的に流れるようにするスイッチ制御回路と
を具える入力バイパス回路。
【請求項２】
上記スイッチング回路が上記電流プローブの複数の上記電流プローブ入力の１つに結合される第１及び第２スイッチを有し、
該第１及び第２スイッチの夫々が、上記電流プローブ入力の一方に結合された共通端子、上記電流検出回路に結合された第１端子及び上記電流プローブ入力の他方に結合された第２端子を有し、
上記第１及び第２スイッチの上記共通スイッチ端子が上記第１及び第２スイッチの上記第１端子に結合されるときに上記第１及び第２スイッチが上記電流信号を上記電流検出回路に結合し、
上記第１及び第２スイッチの上記共通スイッチ端子が上記第１及び第２スイッチの上記第２端子に結合されるときに上記第１及び第２スイッチが上記電流信号を上記電流プローブ入力間で結合する
ことを特徴とする請求項１記載の入力バイパス回路。
【請求項３】
上記第１及び第２スイッチがリレーであることを特徴とする請求項２記載の入力バイパス回路。
【請求項４】
上記スイッチ制御回路が、上記第１及び第２スイッチが上記電流プローブ入力と上記電流検出回路とを選択的に結合又は切り離すための信号を開始するための第１アクティブ化スイッチを少なくとも有し、
上記第１及び第２スイッチの一方のスイッチングが他方に対して遅延されることを特徴とする請求項３記載の入力バイパス回路。
【請求項５】
上記スイッチ制御回路は、上記電流プローブ入力と上記電流検出回路とを選択的に結合又は切り離すためのパラレル出力データを生成するシリアル・パラレルＩ／Ｏ拡張回路に結合されるコマンド信号の生成を開始するための信号をコントローラへと生成するための第１アクティブ化スイッチを少なくとも有し、
上記コマンド信号の１つは上記第１及び第２スイッチの一方を他方に対して遅延させることを特徴とする請求項４記載の入力バイパス回路。
【請求項６】
上記スイッチ制御回路は、上記電流プローブ入力を上記電流検出回路から選択的に切り離すためのパラレル出力データを生成するシリアル・パラレルＩ／Ｏ拡張回路に結合されるコマンド信号の生成を開始するための信号をコントローラへと生成するための第２アクティブ化スイッチを有し、
上記コマンド信号の１つは上記第１及び第２スイッチの一方を他方に対して遅延させると共に、他のコマンド信号は消磁信号を上記電流検出回路に結合することを特徴とする請求項３記載の入力バイパス回路。
【請求項７】
上記第１及び第２スイッチは機械スイッチであり、
上記スイッチ制御回路は上記第１機械スイッチに機械的に結合された第１アクチュエータと、上記第２機械スイッチに結合された第２アクチュエータとである
ことを特徴とする請求項２記載の入力バイパス回路。
【発明の詳細な説明】
【発明の背景】
【０００１】
本発明は、概して電流プローブに関し、特に電流プローブ用の入力バイパス回路に関する。
【０００２】
オシロスコープと共に使用される電流プローブは、導体中を流れる電流の測定にトランスの技術を応用したものである。図１は、直流までの電流信号を測定する電流プローブ１０を描いており、これには開口１６を定めるリング状の磁気コア１４のあるトランス１２がある。磁気コア１４は、好ましくはスプリット（split：分裂する）コアで磁気コアの一方の側が他方に対して可動になっている。これによって、電流の流れる導体１８を回路から切断することなく、トランス１２の開口１６に通過させることが可能となる。電流の流れる導体１８は、磁気コア１４の開口を通過すると、トランス１２の一次巻線として振る舞う。二次巻線２０は、磁気コア１４の一方の側の周りに巻かれる。電流プローブ１０で直流及び低い周波数の電流信号を検出できるようにするため、磁気コア内の磁束がホール効果デバイス２２とほぼ垂直となるように、磁気コア１４内にホール効果デバイス２２が配置される。バイアス源２４がホール・デバイス２２に印加され、磁気コア１４中の磁束によってホール・デバイスが生成する結果として得られる電圧は、差動増幅器２６の入力に結合される。差動増幅器２６のシングル・エンド出力は、スイッチ２８を介して電力増幅器３０に結合される。スイッチ２８は、消磁信号を受けるように結合され、これはトランス１２に選択的に印加される。電力増幅器３０は、ホール効果デバイス２２によって生成された電圧に比例する電流出力を生成する。電力増幅器３０は、二次巻線２０の一端側に結合され、この巻線の他端側はトランス終端抵抗器３２と電圧増幅器３４に結合される。
【０００３】
電流の流れる導体１８中を流れる電流は磁束を誘導し、これは磁気コア１４及び二次巻線２０に結合される。直流から低周波数の電流信号によって生じた磁束は、磁気コア１４内でホール効果デバイス２２に結合される。ホール効果デバイス２２は、差動電圧を生成し、これは差動増幅器２６の入力に結合される。差動増幅器２６の出力は、スイッチ２８を介して電力増幅器３０に結合される。電力増幅器３０は、電流出力を生成し、これはトランス１２の二次巻線２０に結合される。電力増幅器によって印加される電流は、電流の流れる導体１８中の直流から低周波数の電流信号によって磁気コア１４内に生じた磁束を打ち消す方向である。より高い周波数の電流信号は、電流の流れる導体１８中を流れる電流によって生成された磁束と反対方向の磁束を生成する電流を二次巻線に誘導する。電力増幅器２０によって生成された直流から低周波数の電流信号についての電流と、より高い電流周波数信号で二次巻線２０中に誘導された電流は、トランス終端抵抗器３２で合算され、これは増幅器３４に入力される電圧を供給する。増幅器３４の電圧出力は、磁気コアの磁束の交流及び直流成分を表す。米国特許第３,５２５,０４１号、第５,４７７,１３５号及び第５,４９３,２１１号は、上述の電流プローブ１０のコンセプトを記述している。
【０００４】
ユーザが上述の電流プローブを消磁するためには、電流の流れる導体１８を電流プローブ１０から取り除く必要があり、さもないと、消磁信号が電流の流れる導体１８に電流を誘導して、被試験デバイス中の回路を痛める可能性がある。加えて、もしトランス１２の磁気コア１４が飽和するほど充分に高い電流が電流の流れる導体１８を流れるなら、ユーザは電流プローブ１０から電流の流れる導体１８を取り除く必要がある。
【０００５】
電流プローブに必要なのは、電流プローブを消磁しているときや、トランスの磁気コアが飽和するような電流があるときでも、ユーザが電流の流れる導体に電流プローブを取り付けたままにできるようにする回路である。加えて、その電流プローブ回路は、電流の流れる導体から電流プローブを取り外すことなく、電流プローブにオフセット電圧をユーザが設定できる機能を持つべきである。
【発明の概要】
【０００６】
こうしたことから、上述のニーズは電流プローブ用の入力バイパス回路と合致する。その電流プローブには、電流検出回路に結合され、被試験デバイスからの電流信号を受ける複数の入力（inputs：入力端子）と、電流プローブの入力と電流検出回路との間に結合されたスイッチング回路を有する入力バイパス回路とがある。スイッチ制御回路がスイッチング回路に結合され、電流プローブの入力と電流検出回路とを選択的に結合又は切り離しすることで、電流信号が被試験デバイス中を連続的に流れるようにする。
【０００７】
第１及び第２スイッチの夫々には、電流プローブの複数の入力の一方に結合された共通端子、電流検出回路に結合された第１端子及び電流プローブの入力の他方に結合された第２端子がある。第１及び第２スイッチの共通スイッチ端子が第１及び第２スイッチの第１端子に結合されたとき、第１及び第２スイッチは電流信号を電流検出回路に結合する。第１及び第２スイッチの共通スイッチ端子が第１及び第２スイッチの第２端子に結合されたとき、第１及び第２スイッチは電流プローブの複数入力間に電流信号を結合する。
【０００８】
入力バイパス回路の第１及び第２スイッチは、磁気ラッチ・リレー又は機械スイッチで実現しても良い。スイッチが磁気ラッチ・リレーのときは、スイッチ制御回路には、シリアル・パラレルＩ／Ｏ拡張回路に結合されるコマンド信号生成の生成開始のための信号をコントローラへと生成する第１の起動（activation）スイッチが少なくともある。シリアル・パラレルＩ／Ｏ拡張回路は、パラレル出力データを生成して電流プローブの入力を電流検出回路に選択的に結合したり又は切り離したりするが、このとき、これらコマンド信号の１つは第１及び第２スイッチの一方を他方に対して遅延させる。スイッチ制御回路には、また、シリアル・パラレルＩ／Ｏ拡張回路に結合されるコマンド信号の生成開始のための信号をコントローラへと生成する第２の起動（activation）スイッチを設けても良い。シリアル・パラレルＩ／Ｏ拡張回路は、電流プローブの入力を電流検出回路から選択的に切り離すためにパラレル出力データを生成するが、このとき、そのコマンド信号の１つは第１及び第２スイッチの一方を他方に対して遅延すると共に、他のコマンド信号は消磁信号を電流検出回路に結合する。
【０００９】
第１及び第２スイッチが機械スイッチのとき、スイッチ制御回路は、第１機械スイッチに機械的に結合された第１アクチュエータと、第２機械スイッチに結合された第２アクチュエータであって、第１及び第２アクチュエータは第１及び第２スイッチを電流プローブの入力を電流検出回路に選択的に結合したり又は切り離したりするが、このとき、第１及び第２スイッチの一方のスイッチングは他方に対して遅延される。
【００１０】
本発明の目的、効果及び新規な点は、付属する特許請求の範囲及び図面と共に以下の詳細な記述を読むことによって明らかとなろう。
【図面の簡単な説明】
【００１１】
【図１】図１は、電流の流れる導体を一次トランス巻線として使用する電流プローブの略図である。
【図２】図２は、本発明による入力バイパス回路を含む電流プローブの斜視図である。
【図３】図３は、本発明による入力バイパス回路の第１の実施形態を描いた略図である。
【図４】図４は、本発明による入力バイパス回路の更なる実施形態を描いた略図である。
【発明の詳細な説明】
【００１２】
図２は、電流プローブ４０中の電流検出回路に電流の流れる導体４４からの電流信号を選択的に結合する入力バイパス回路を有し、オシロスコープ４２と共に使用される電流プローブ４０の斜視図である。電流プローブ４０は、プローブ本体４６、着脱式アダプタ４８、制御ボックス５０及び導電ケーブル５２を有し、導電ケーブル５２は、プローブ本体４６を制御ボックス５０に結合する。アダプタ４８にはハウジング５４があり、ここから導電性リード線５６及び５８が伸びている。電流プローブ・アダプタ４８の導電性リード線５６及び５８には、多様な電気コンタクト６０、６２が用意される。回路基板６６上に形成された回路配線のような電流の流れる導体中に形成された非導電性の切れ目６４を横切って電気的に結合するように、複数の電気コンタクトが作られる。一つの例では、電気コンタクト６０及び６２は、電流の流れる導体４４上に非導電性の切れ目６４の両側で取り付けられた四角いピン６８を結合させる導電性ソケットである。電流プローブ・アダプタ４８が電流の流れる導体４４に結合されていないときには、電気ジャンパ７０が四角いピン６８に配置され、非導電性の切れ目６４を横切って電流信号を結合する。他の例では、複数の電気コンタクトは、電流の流れる導体４４上の非導電性の切れ目６４の両側に形成されたコンタクト・パッド７２に電気的に結合されるコンタクト・パッドである。取り外し可能な導電薄７４がコンタクト・パッド７２に保持され、非導電性の切れ目６４を横切って電流信号を結合する。導電薄７２は、アダプタ４８の導電性リード線５６及び５８が電流の流れる導体４４に結合されると、電流の流れる導体４４から外される。
【００１３】
導電ケーブル５２は、種々の導電線を有し、これらはプローブ本体４６内に配置された電流検出回路からの出力信号を制御ボックス５０に結合すると共に、電流プローブ本体４６内に配置された電流検出回路と入力バイパス回路に電力と通信信号を結合する。電流プローブ制御ボックス５０は、オシロスコープ４２の多数の入力信号チャンネル７６の１つに結合される。各入力信号チャンネル７６には、レセプタクル・インターフェース７８があり、各インターフェースには複数の導電性コンタクトと同軸信号ジャックがある。電流プローブ制御ボックス５０には、レセプタクル・インターフェース７８とかみ合うプラグ・インターフェース８０があり、また、レセプタクル・インターフェース７８中の対応する複数の電気コンタクト及び同軸信号ジャックと結合する複数の電気コンタクトと同軸信号ジャックがある。インターフェース７８及び８０は、電流プローブ４０及びオシロスコープ４２間の通信を実現すると共に、電力をプローブ４０に供給する。インターフェース７８及び８０は、また、電流プローブ４０及びオシロスコープ４２間の信号パスを提供する。オシロスコープ４２には、液晶表示装置、陰極線管のような表示装置８２があり、また、オシロスコープ４２の機能を制御するためのボタン及びノブ８４がある。
【００１４】
図３を参照すると、電流プローブ本体４６内の入力バイパス回路９０を実現する等価回路が示されている。入力バイパス回路９０には、回路プローブ入力９４及び９６と、電流検出回路９８との間を結合するスイッチング回路９２がある。電流プローブ入力９４及び９６は、アダプタ４８の導電性リード線５６及び５８を介して電流の流れる導体４４に結合される。スイッチ制御回路１００は、スイッチング回路９２に結合され、これは電流の流れる導体４４中を流れる電流を乱すことなく、電流プローブ入力９４及び９６を電流検出回路９８に結合したり、切り離したりするためのスイッチング信号を供給する。
【００１５】
スイッチング回路には第１及び第２スイッチ１０２及び１０４があり、スイッチ１０２及び１０４の夫々には電流プローブ入力９４、９６の一方に結合された端子１０６、１０８がある。スイッチ１０２及び１０４の夫々には、電流検出回路９８の第１入力１１４に結合された第２端子１１０、１１２がある。スイッチ１０２及び１０４の夫々には、電流プローブ入力９４、９６の他方に結合されると共に、電流検出回路９８の第２入力１２０に結合された第３端子１１６、１１８がある。スイッチ１０２及び１０４の夫々には、第１スイッチ端子１０６、１０８を第２及び第３スイッチ端子１１０、１１２、１１６、１１８の一方又は他方に選択的に結合するアーマチャ１２２、１２４がある。
【００１６】
好ましい実施例では、第１及び第２スイッチ１０２及び１０４には磁気ラッチ・リレーがあり、これらはスイッチ制御回路１００からのアクティブ化（activation）信号を受ける。アクティブ化信号は、シリアル・パラレルＩ／Ｏ（入出力）拡張回路（expander）１３８からバッファ１３０、１３２、１３４及び１３６を介して結合される。シリアル・パラレルＩ／Ｏ拡張回路は、導電ケーブル５２中のＩ２Ｃバス、ＳＰＩバスのようなシリアル・バス１４０を介してシリアル・データを受ける。シリアル・データ及びクロックは、電流プローブ制御ボックス５０内に配置されたコントローラ１４２によって生成される。制御ボックス５０には、その上に装備され、コントローラ１４２上の入力に結合される信号線１４８及び１５０に結合された押しボタン・コンタクト・スイッチ１４４及び１４６がある。コントローラ１４２には、オシロスコープ４２と通信するためのシリアル・バス１５２がある。
【００１７】
電流検出回路の入力１１４及び１２０は、トランス１６４の磁気コア１６２の周りに巻かれた一次巻線１６０の両端に結合される。トランス１６４には、磁気コア１６２の周りに巻かれた二次巻線１６６があり、二次巻線１６６の一端は接地され、他端はトランス・インピーダンス増幅器１６８の反転入力端子に結合される。磁気コア１６２には、その中にホール効果素子１７０が磁気コア１２０の磁束線と実質的に垂直に配置される。ホール効果素子１７０には、バイアス源１７２と接地の間に結合された端子の第１対と、差動増幅器１７４の入力端子に接続された端子の第２対がある。差動増幅器１７４のシングル・エンド出力端子は、消磁スイッチ１７６を介してトランス・インピーダンス増幅器１６８の非反転入力端子に結合される。消磁スイッチ１７６には、差動増幅器１７４の出力端子に結合された第１端子１７８と、トランス・インピーダンス増幅器１６８の非反転入力端子に結合された第２端子と、消磁信号を受けるように結合された第３端子１８２とがある。アーマチャ１８４は、差動増幅器１７４の出力又は消磁信号を選択的に、トランス・インピーダンス増幅器１６８の非反転入力端子に結合する。トランス・インピーダンス増幅器１６８の反転入力端子及び出力端子は、トランス・インピーダンス抵抗器１８８を有する電流信号パス１８６を介して互いに結合される。オフセット制御信号が、オフセット電圧線１９０を介して差動増幅器１７４に印加される。
【００１８】
電流の流れる導体４４中を流れる電流は、時として電流プローブ４０がトランス１６４の磁気コア１６２を飽和させるとみなされる電流値を超えることがある。もしユーザがこうした状態がいつ起こりえると分かっているときは、スイッチ回路９２をアクティブにすることで、入力９４及び９６からトランス１６４の一次巻線１６０を切り離し（decouple）、バイパスする。押しボタン・コンタクト・スイッチ１４４及び１４６の一方が、この目的のために割り当てられ、ユーザによって押される。これらスイッチ１４４、１４６は電気的な接地に結合され、これによってコントローラ１４２に論理低（ロー：Low）信号が導入される。これに代えて、スイッチ１４４、１４６を電圧源に結合しても良く、これによってコントローラ１４２に論理高（ハイ：High）信号が導入される。今の例では、スイッチ１４４が押されると論理低信号が生じてコントローラ１４２に入力される。好ましい実施形態では、論理信号によってスイッチ１４２が押されたことを示すシリアル・データをコントローラ１４２が生成し、これがシリアル・バス１５２を介してオシロスコープ１２に供給される。オシロスコープ１２は、シリアル・データ・コマンドを生成してコントローラ１４２に戻し、スイッチ回路９２をアクティブにする。オシロスコープ１２は、入力バイパス回路９０がアクティブであることを示すアイコンをオシロスコープの表示装置８２上に発生させても良い。コントローラ１４２は、複数のシリアル・データ・コマンドを生成し、これらはシリアル・バス１４０を介してＩ／Ｏ拡張回路１３８に供給される。Ｉ／Ｏ拡張回路１３８は、これらシリアル・データ・コマンドをパラレル・データに変換し、これらはＩ／Ｏ拡張回路１３８上の出力ピンに印加される。パラレル・データは、高（ハイ）及び低（ロー）の論理レベルから構成され、これらによってスイッチ１０２及び１０４のアーマチャ１２２及び１２４は状態を変化させる。図３に示すところでは、アーマチャ１２２及び１２４は、電流の流れる導体４４からの電流信号をトランス１６２の一次巻線１６０に結合する状態にある。コントローラ１４２が第１シリアル・データ・コマンドを出力すると、スイッチ１０２のようなスイッチ１０２、１０４のリレーの一方を横切る論理高及び低を有するパラレル出力信号がＩ／Ｏ拡張回路１３８から得られる。これによって、アーマチャ１２２はコンタクト１１０からコンタクト１１６に切り替わり、一次巻線１６０を渡る電流信号を短絡する。コントローラ１４２が第２シリアル・コマンドを出力すると、他方のスイッチ１０４を横切る論理高及び低を有するパラレル出力信号がＩ／Ｏ拡張回路１３８から得られる。これによって、アーマチャ１２４はコンタクト１１２からコンタクト１１８に切り替わり、一次巻線１６０を入力９４及び９６から切り離す。好ましい実施形態では、一次巻線１６０が入力９４及び９６から切り離されるのに先立って、入力９４及び９６間の電流信号を確実に短絡するために、コントローラ１４２からの第１及び第２シリアル・データ・コマンド間には遅延を設ける。これによって、電流の流れる導体４４中を流れる電流信号が確実に歪まないようにする。これに代えて、スイッチ１４２で生成した論理低信号をコントローラ１４２で直接解釈（interprete）し、Ｉ／Ｏ拡張回路１３８へのシリアル・データ・コマンドを生成しても良い。コントローラ１４２は、また、入力バイパス回路９０がアクティブであることを示すアイコンをオシロスコープの表示装置８２上に生成するために、オシロスコープ４２へのシリアル・データ・コマンドを生成しても良い。
【００１９】
電流プローブ４０を消磁するときには、減少する信号がトランス１６４の二次巻線１６６に印加される。消磁信号は、一次巻線１６０に電流を誘導し、これが電流の流れる導体４４に結合される。この信号は、電流の流れる導体４４に結合された回路にダメージを生じさせるかもしれない。加えて、もし電流の流れる導体４４が電流信号をトランス１６４の一次巻線１６０に結合していると、消磁処理の結果として正しくない直流オフセットが生じるかもしれない。この理由のために、電流プローブ４０の消磁中には、電流プローブを電流の流れる導体４４に電気的に結合すべきではない。従来の電流プローブでは、電流の流れる導体は、トランスの一次巻線として動作し、トランスから除かれていた。ここで記述する電流プローブ４０は、電流の流れる導体４４を一次巻線としては使用しないが、電流の流れる導体４４に電気的に結合される分離した一次巻線１６０を有している。スイッチング回路９２は、プローブ４０の消磁中でも電流プローブ４０が電流の流れる導体４４に結合し続けることを可能にする。
【００２０】
押しボタン・スイッチ１４４及び１４６の他方は、プローブを消磁するために割り当てられており、ユーザによって押される。スイッチ１４４、１４６は、コントローラ１４２に論理信号を導入する。論理信号は、コントローラ１４２によって消磁コマンドとして解釈され、これによってシリアル・バス１４０を介してＩ／Ｏ拡張回路１３８に結合されるシリアル・データ・コマンドが生成される。Ｉ／Ｏ拡張回路１３８は、シリアル・データ・コマンドをパラレル・データに変換し、これらがＩ／Ｏ拡張回路１３８の出力ピンに印加される。パラレル・データは、高及び低の論理レベルから構成され、これらがスイッチ１０２及び１０４のアーマチャ１２２及び１２４の状態を上述のように変更する。更なるシリアル・データ・コマンドが送られると、Ｉ／Ｏ拡張回路１３８に論理高が生じ、これが消磁スイッチ１７６に結合される。消磁スイッチは、論理高信号に応答し、トランス・インピーダンス増幅器１６８の非反転入力端子に消磁信号を結合する。トランス・インピーダンス増幅器は、トランス・インピーダンス増幅器１６８の出力端子に消磁電圧信号に生じさせる応答をする。この電圧出力は、減少する電流信号を電流信号パス１８６中に生じさせる。減少する電流信号は、トランス１６４の二次巻線１６６に結合され、トランス１６４を消磁する。コントローラ１４２は、また、電流プローブ４０が消磁されていることを示すアイコンをオシロスコープの表示装置８２上に生成するため、オシロスコープ４２へのシリアル・データ・コマンドを生成しても良い。電流プローブ４０が消磁された後、コントローラ１４２は、スイッチ１０２、１０４及び１７６をアクティブ状態でなくするためのシリアル・データ・コマンドの組（set：セット）を更に発行することで、入力９４及び９６を電流検出回路９８に再結合し、差動増幅器１７４の出力をトランス・インピーダンス増幅器１６８の非反転入力端子に結合する。
【００２１】
図４を参照すると、入力バイパス回路９０の更なる実施形態が示されている。図３と同様の要素には、図４中でも同じ符号を付する。先の実施形態で第１及び第２スイッチ１０２及び１０４に使用された磁気ラッチ・リレーは、機械スイッチ２００及び２０２に置き換えられている。１つの実施形態では、機械スイッチ２００及び２０２は、単極双投スイッチ（single-pole-double-throw switch）である。機械スイッチ２００及び２０２には、スイッチ１０２及び１０４と同様に結合された端子１０６、１１０、１１６と、１０８、１１２、１１８とがそれぞれある。スイッチ２００のアーマチャ１２２は、プローブ本体４６から伸びるアクチュエータ２０４に機械的に結合される。スイッチ２０２のアーマチャ１２４は、プローブ本体４６から伸びるアクチュエータ２０６に機械的に結合される。アクチュエータ２０４及び２０６は、スライド・アクチュエータ、押しボタン・アクチュエータ又は回転アクチュエータでも良く、このときアクチュエータ２０４及び２０６は一緒に連動するので、これらアクチュエータを動作させると、一方のアーマチャ１２２がスイッチングし、そして他方のアーマチャ１２４もスイッチングする。アクチュエータ２０４及び２０６は、現状の実施形態ではスイッチ制御回路１００として機能する。これら機械スイッチを使用する入力バイパス回路９０は、図３の入力バイパス回路９０と同様に動作する。アーマチャ１２２及び１２４は、電流プローブの入力９４及び９６を電流検出回路９８に結合する状態で示されている。スイッチ２００のアクチュエータ２０４を動かすと、アーマチャ１２２がコンタクト１１０からコンタクト１１６に切り替わり、電流プローブの入力９４及び９６が互いに短絡する。スイッチ２０２のアクチュエータ２０６を動かすと、アーマチャ１２４がコンタクト１１２からコンタクト１１８に切り替わり、入力９４及び９６から電流検出回路９０を切り離す。アクチュエータ２０４及び２０６は、アーマチャ１２２及び１２４のスイッチング間に遅延が生じるように機械的に構成される。
【００２２】
他の実施形態では、機械スイッチ２００及び２０２は、双極双投素子である。スイッチ２００には第２端子セット２０８、２１０及び２１２があり、端子２０８は電気的に接地に結合され、端子２１０は開放のまま、そして端子２１２はプローブ本体４６に装着された発光ダイオード２１４を介して電圧源に結合される。アーマチャ２１６は、選択的に端子２０８を端子２１０及び２１２に結合し、アクチュエータ２０４によってアクティブにされる。スイッチ２０２には第２端子セット２１８、２２２及び２２４があり、端子２１８は単一線（signal line）２２０に結合され、端子２２２は接地に結合され、そして端子２２４は電圧源に結合される。アーマチャ２２６は、端子２１８を選択的に端子２２２及び２２４に結合し、アクチュエータ２０６によってアクティブにされる。
【００２３】
双極双投（double-pole-double-throw）機械スイッチ２００及び２０２の使用によって、入力バイパス回路９０がアクティブなときを示す回路の使用が可能になる。一例では、アクチュエータ２１６が、入力バイパス回路９０がアクティブであることを示す発光ダイオードをアクティブにする。他の例では、アクチュエータ２２６が、アクティブ（能動）高の論理レベルを信号線２２０に結合し、信号線２２０がコントローラ１４２に結合される。コントローラ１４２は、シリアル・バス１５２を介してシリアル・データ・コマンド信号をオシロスコープ４２へ送り、これによってオシロスコープはその表示装置８２上に入力バイパス回路がアクティブであることを示す。一般には、上記複数の表示環境のいずれかが実施形態と共に使用される。
【００２４】
当業者であれば、上述した本発明の実施形態の細部について、その原理から離れることなく、多くの改変ができることは明らかであろう。従って、本発明の要旨は、特許請求の範囲によってのみ定められる。
【図１】
2009536743.tif 000003
【図２】
2009536743.tif 000004
【図３】
2009536743.tif 000005
【図４】
2009536743.tif 000006
【国際調査報告】
2009536743.tif 000007
2009536743.tif 000008